(57)【要約】【課題】  商品のまとめ買いがなされたと判断された売上登録データをまとめ買いデータとして集計することにより、販売実績に基づく発注予測等に生じるブレを低減化する。【解決手段】  まとめ買いとはみなされない上限値を規定値として商品分類毎に定めたまとめ買いマスタファイルと、商品販売データ処理装置から送信された売上登録データ中に同一の商品販売データ処理装置で同一時刻に複数個売上登録された同一商品または同一分類の商品が存在し、かつ、当該商品の売上登録数がまとめ買いマスタファイルに記憶されている当該商品が属する分類の規定値を超えた場合に、商品のまとめ買いがなされたと判断する手段（Ｓ１）と、商品のまとめ買いがなされたと判断された前記商品販売データ処理装置から送信された売上登録データをまとめ買いデータとして集計する手段（Ｓ３）と、を備える。【選択図】    図７
2005275827.tif 000002
【特許請求の範囲】
【請求項１】
売上登録データを集計する売上登録データ集計装置において、
商品がまとめ買いがなされたか否かを判断する判断手段と、
この判断手段により商品がまとめ買いがなされたと判断された場合、商品のまとめ買いがなされたと判断された前記売上登録データをまとめ買いデータとして集計する集計手段と、
を備えることを特徴とする売上登録データ集計装置。
【請求項２】
商品販売データ処理装置から送信された売上登録データを集計する売上登録データ集計装置において、
まとめ買いとはみなされない上限値を規定値として商品分類毎に定めたまとめ買いマスタファイルと、
前記商品販売データ処理装置から送信された売上登録データ中に同一の前記商品販売データ処理装置で同一時刻に複数個売上登録された同一商品または同一分類の商品が存在し、かつ、当該商品の売上登録数がまとめ買いマスタファイルに記憶されている当該商品が属する分類の前記規定値を超えた場合に、商品のまとめ買いがなされたと判断する判断手段と、
この判断手段により商品のまとめ買いがなされたと判断された前記商品販売データ処理装置から送信された売上登録データをまとめ買いデータとして集計する集計手段と、
を備えることを特徴とする売上登録データ集計装置。
【請求項３】
売上登録データを集計する売上登録データ集計装置を制御するコンピュータに読取可能なプログラムであって、
商品がまとめ買いされたか否かを判断する機能と、
商品がまとめ買いがなされたと判断された場合、商品のまとめ買いがなされたと判断された前記売上登録データをまとめ買いデータとして集計する機能と、
を前記コンピュータに実行させることを特徴とするプログラム。
【請求項４】
商品販売データ処理装置から送信された売上登録データを集計する売上登録データ集計装置を制御するコンピュータに読取可能なプログラムであって、
まとめ買いとはみなされない上限値を規定値として商品分類毎に定めたまとめ買いマスタファイルと、
前記商品販売データ処理装置から送信された売上登録データ中に同一の前記商品販売データ処理装置で同一時刻に複数個売上登録された同一商品または同一分類の商品が存在し、かつ、当該商品の売上登録数がまとめ買いマスタファイルに記憶されている当該商品が属する分類の前記規定値を超えた場合に、商品のまとめ買いがなされたと判断する機能と、
商品のまとめ買いがなされたと判断された前記商品販売データ処理装置から送信された売上登録データをまとめ買いデータとして集計する機能と、
を前記コンピュータに実行させることを特徴とするプログラム。
【請求項５】
請求項３または４記載のプログラムを記憶していることを特徴とする記憶媒体。
【発明の詳細な説明】
【技術分野】
【０００１】
本発明は、ＰＯＳ（Point Of Sales）端末等の商品販売データ処理装置から送信された売上登録データを集計する売上登録データ集計装置、売上登録データ集計装置を制御するコンピュータに読取可能なプログラムおよび記憶媒体に関する。
【背景技術】
【０００２】
一般に、コンビニエンスストアやスーパーマーケット等の量販店においては、過去実績（例えば、直近の売上数及び前年の売上数）を基準にして各商品の発注数を予測するようにしている（特許文献１参照）。
【０００３】
【特許文献１】特開平０５−１４９８３３号公報
【発明の開示】
【発明が解決しようとする課題】
【０００４】
ところで、従来においては、商品のまとめ買いがなされた場合でも、通常に販売された販売実績として反映されている。このような商品のまとめ買いは、不定期に起こりうる。
【０００５】
しかしながら、このように不定期に起こるまとめ買いが反映された販売実績に基づいて発注予測等を行なうと、発注予測にブレが生じてしまうという問題がある。
【０００６】
本発明は、商品のまとめ買いがなされたと判断された売上登録データをまとめ買いデータとして集計することにより、販売実績に基づく発注予測等に生じるブレを低減化することを目的とする。
【課題を解決するための手段】
【０００７】
本発明の売上登録データ集計装置は、商品がまとめ買いがなされたか否かを判断する判断手段と、この判断手段により商品がまとめ買いがなされたと判断された場合、商品のまとめ買いがなされたと判断された前記売上登録データをまとめ買いデータとして集計する集計手段と、を備える。
【０００８】
したがって、商品のまとめ買いがなされたと判断された売上登録データがまとめ買いデータとして集計される。これにより、ある個数以上のまとめ買いがあった場合には、そのまとめ買いデータが収集可能になる。
【発明の効果】
【０００９】
本発明によれば、収集されたまとめ買いデータに基づいて定期的なまとめ買いについての予測等が可能になり、販売実績に基づく発注予測等に生じるブレを低減化することができる。
【発明を実施するための最良の形態】
【００１０】
本発明の実施の一形態を図１ないし図７に基づいて説明する。
【００１１】
ここで、図１は店舗システム１の全体構成を概略的に示すシステム構成図である。図１に示すように、各店舗に設けられる店舗システム１は、概略的には、商品販売データ処理装置である複数台のＰＯＳ端末２と、これらのＰＯＳ端末２をＬＡＮ３によって接続して各ＰＯＳ端末２から送信された売上登録データを集計する売上登録データ集計装置であるストアコンピュータ４とで構成されている。
【００１２】
次に、各店舗に設けられる店舗システム１のストアコンピュータ４について説明する。図２はストアコンピュータ４の各部の電気的接続を示すブロック図である。図２に示すように、ストアコンピュータ４には、各部を集中的に制御するＣＰＵ（Central Processing Unit）、起動プログラム等を格納するＲＯＭ（Read Only Memory）、ＣＰＵのワークエリアとして機能するＲＡＭ（Random Access Memory）等で構成される制御手段４１が設けられており、この制御手段４１は各種演算やデータ転送などを制御する。この制御手段４１には、ＬＡＮ３を介してＰＯＳ端末２とのデータの入出力制御を行う通信制御手段４２や、ＨＤＤ（Hard Disk Drive）等の記憶装置（記憶媒体）４７が接続されている。
【００１３】
また、ストアコンピュータ４には、制御手段４１によって制御されるＣＲＴ（Cathode Ray Tube）やＬＣＤ（Liquid Crystal Display）等の表示部４３、入力部として機能するキーボード４４やマウス４５、各種外部機器とのデータ接続を実行するインタフェース（Ｉ／Ｆ）４６等がそれぞれ設けられている。
【００１４】
記憶装置４７には、各種制御プログラムが記憶されている他、通常販売実績ファイルＦ１、まとめ買い販売実績ファイルＦ２、商品マスタファイルＦ３、まとめ買いマスタファイルＦ４等の各種ファイルが記憶されている。
【００１５】
通常販売実績ファイルＦ１は、各ＰＯＳ端末２から送信された売上登録データを集計するファイルである。詳細には、図３に示すように、各ＰＯＳ端末２から送信された売上登録データに含まれる販売日付、販売商品に関する商品コード、販売点数、販売金額、販売時刻、各ＰＯＳ端末２に付されるレジ番号が通常販売実績ファイルＦ１に格納されている。
【００１６】
まとめ買い販売実績ファイルＦ２は、後述するストアコンピュータ４側におけるまとめ買い集計処理の際に処理されるまとめ買いデータを集計するファイルである。詳細には、図４に示すように、各ＰＯＳ端末２から送信された売上登録データに含まれる販売日付、曜日、販売商品に関する分類コード、販売点数、販売金額、販売時刻がまとめ買い販売実績ファイルＦ２に格納されている。
【００１７】
商品マスタファイルＦ３は、図５に示すように、商品コードに対応付けて分類コード、商品名称、販売価格等を格納するファイルである。
【００１８】
まとめ買いマスタファイルＦ４は、図６に示すように、分類コードに対応付けて分類名称、まとめ買いとはみなされない上限値（規定値）であるまとめ買い係数等を格納するファイルである。ここで、まとめ買い係数は、後述するストアコンピュータ４側におけるまとめ買い集計処理の際に、各ＰＯＳ端末２から送信された売上登録データ中に商品のまとめ買いに関するデータがあるか否かを判断するために用いるものである。このまとめ買い係数は、任意に設定可能である。
【００１９】
続いて、ストアコンピュータ４を構成する各部の機能について説明する。ここでは、ストアコンピュータ４の制御手段４１のＣＰＵが記憶装置４７に記憶されている制御プログラムに従って動作することにより実現される機能の１つであるまとめ買い集計機能について説明する。
【００２０】
図７は、まとめ買い集計機能が発揮されるまとめ買い集計処理の流れを概略的に示すフローチャートである。まとめ買い集計処理は、ストアコンピュータ４側におけるデータ更新処理の際に実行される。このようなデータ更新処理は、各ＰＯＳ端末２において売上登録処理した売上登録データを集計する際に実行される処理である。
【００２１】
図７に示すように、まとめ買い集計処理においては、まず、商品のまとめ買いがあったか否かが判断される（ステップＳ１：判断手段）。ここで、商品のまとめ買いがあったか否かの判断は、ＰＯＳ端末２から送信された売上登録データ中に、同一のＰＯＳ端末２で同一時刻に複数個売上登録された商品または同一分類の商品が存在し、かつ、この商品の売上登録数がまとめ買いマスタファイルＦ４に記憶されているこの商品が属する分類のまとめ買い係数を超えた場合に、商品のまとめ買いがあったものとして判断される。
【００２２】
商品のまとめ買いがあったと判断されなかった場合には（ステップＳ１のＮ）、通常販売実績ファイルＦ１を更新する（ステップＳ２）。
【００２３】
一方、商品のまとめ買いがあったと判断された場合には（ステップＳ１のＹ）、通常販売実績ファイルＦ１だけでなく、まとめ買い販売実績ファイルＦ２も更新する（ステップＳ３：集計手段）。
【００２４】
ここで、各ＰＯＳ端末２から送信された売上登録データを集計する通常販売実績ファイルＦ１のデータに基づくまとめ買い集計処理について、以下において具体的に説明する。
【００２５】
図３に示す通常販売実績ファイルＦ１においては、商品コード（111111）の商品が、１１時１２分３０秒に１個、１１時２０分１０秒に８個販売されている。ここで、商品マスタファイルＦ３から商品コード（111111）の商品は分類コード（100）に属し、まとめ買いマスタファイルＦ４から分類コード（100）のまとめ買い係数は“５”であることがわかる。したがって、１１時２０分１０秒に販売された８個はまとめ買いと判断され、商品のまとめ買いに関するＰＯＳ端末２から送信された売上登録データがまとめ買いデータとしてまとめ買い販売実績ファイルＦ２に集計される。
【００２６】
また、図３に示す通常販売実績ファイルＦ１においては、商品コード（333333）の商品が、１１時４０分１０秒に３個販売されていて、商品コード（333334）の商品が、１１時４０分１０秒に３個販売されている。すなわち、商品コード（333333）の商品と商品コード（333334）の商品とは、同一のＰＯＳ端末２で同一時刻に販売されていることがわかる。また、商品マスタファイルＦ３から商品コード（333333）の商品と商品コード（333334）の商品とは同一の分類コード（300）に属し、まとめ買いマスタファイルＦ４から分類コード（300）のまとめ買い係数は“６”であることがわかる。したがって、１１時４０分１０秒に販売された同一分類コードに属する販売数６個はまとめ買いと判断され、商品のまとめ買いに関するＰＯＳ端末２から送信された売上登録データがまとめ買いデータとしてまとめ買い販売実績ファイルＦ２に集計される。
【００２７】
まとめ買い販売実績ファイルＦ２に集計されたまとめ買いデータの利用方法としては、例えば、まとめ買いが３ヶ月に１回起きるような場合には、このまとめ買いデータを排除して発注予測を行なうようにすることが考えられる。また、まとめ買いが５個単位で行なわれていることがわかれば、５個単位で割り引くことにより販売促進に結びつけるようにしたり、５個購入した場合におまけをつけたりすること等が考えられる。
【００２８】
このように本実施の形態によれば、商品のまとめ買いがなされたと判断されたＰＯＳ端末２から送信された売上登録データがまとめ買いデータとして集計される。これにより、ある個数以上のまとめ買いがあった場合には、そのまとめ買いデータが収集可能になるので、このように収集されたまとめ買いデータに基づいて定期的なまとめ買いについての予測等が可能になり、販売実績に基づく発注予測等に生じるブレを低減化することができる。
【００２９】
なお、本実施の形態においては、売上登録データ集計装置をストアコンピュータ４に適用したが、これに限るものではなく、ＰＯＳ端末２等の商品販売データ処理装置に適用するようにしても良い。
【００３０】
また、本実施の形態では、制御プログラムをＨＤＤ等の記憶装置４７に格納するようにしたが、これに限るものではなく、フレキシブルディスク、磁気テープ等のような磁気的な記憶媒体、ＭＯのような光磁気的な記憶媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記憶媒体、半導体メモリ等の各種方式のメディアを記憶媒体として用いるようにしても良い。なお、ＣＤ−ＲＯＭやＤＶＤ−ＲＯＭなどの各種の光学的な記憶媒体、各種の光磁気的な記憶媒体、フレキシブルディスクなどの各種の磁気的な記憶媒体等は、ストアコンピュータ４に固定的に設けられておらず、単体で取り扱える交換自在な記憶媒体としての形態を備え、各メディアに適応した各種プログラム読取装置（ＣＤ−ＲＯＭドライブ等）を用いてプログラムを読み出すことで各種処理が可能になる。
【図面の簡単な説明】
【００３１】
【図１】本発明の実施の一形態の店舗システムの全体構成を概略的に示すシステム構成図である。
【図２】ストアコンピュータの各部の電気的接続を示すブロック図である。
【図３】通常販売実績ファイルを模式的に示す説明図である。
【図４】まとめ買い販売実績ファイルを模式的に示す説明図である。
【図５】商品マスタファイルを模式的に示す説明図である。
【図６】まとめ買いマスタファイルを模式的に示す説明図である。
【図７】まとめ買い集計機能が発揮されるまとめ買い集計処理の流れを概略的に示すフローチャートである。
【符号の説明】
【００３２】
２…商品販売データ処理装置、４…売上登録データ集計装置、４７…記憶媒体
【図１】
2005275827.tif 000003
【図２】
2005275827.tif 000004
【図３】
2005275827.tif 000005
【図４】
2005275827.tif 000006
【図５】
2005275827.tif 000007
【図６】
2005275827.tif 000008
【図７】
2005275827.tif 000009